(57)【特許請求の範囲】
【請求項１】
下側半周部の少なくとも一部に、長さ方向に連続して延びる凹溝が形成され、かつ木質材からなる丸棒形状の手摺棒と、
前記手摺棒に長さ方向に沿って所定間隔おきに取り付けられ、前記手摺棒を建造物に支持するための複数のブラケットと、
前記凹溝に沿って嵌着され、外面に凹部及び凸部が長さ方向に沿って交互に複数形成された細長形状の溝嵌めキャップとを備え、
前記凹溝内に沿って、溝形のレールフレームが固定されるとともに、そのレールフレームのレール溝内に前記溝嵌めキャップが嵌着され、
前記レールフレームに前記ブラケットが固定されたことを特徴とする手摺装置。
【請求項２】
前記溝嵌めキャップが、前記レールフレームのレール溝内に係合した状態に嵌着されてなる請求項１記載の手摺装置。
【請求項３】
下側半周部の少なくとも一部に、長さ方向に連続して延びる凹溝が形成され、かつ木質材からなる丸棒形状の手摺棒と、
一端が建造物の側壁に固定される水平片と、その水平片の他端に上方へ延びるように設けられた垂直片とを有する複数のブラケットと、
前記凹溝に嵌脱自在な溝形のレールフレームと、
外面に凹部及び凸部が長さ方向に沿って交互に複数形成された細長形状の溝嵌めキャップとを備え、
前記複数のブラケットが、前記側壁における前記手摺棒の配設位置に沿って所定間隔おきに取り付けられ、
前記レールフレームが、そのレール溝内の所要位置に前記複数のブラケットの垂直片上端が差し込まれた状態で、各ブラケットに固定され、
前記手摺棒が、その凹溝に沿って前記レールフレームが収納された状態で、前記レールフレームに固定され、
前記溝嵌めキャップが、その外面における凹部及び凸部が外側に向けて配置されるように、前記レールフレームのレール溝に沿って嵌着されてなることを特徴とする手摺装置。
【発明の詳細な説明】
【０００１】
【発明の属する技術分野】
この発明は、戸建住宅や集合住宅等における階段、廊下、洗面所、トイレ、浴室、玄関等に取り付けられる手摺装置に関する。
【０００２】
【従来の技術】
戸建住宅や集合住宅等の階段や廊下の側壁面に、歩行補助用として手摺が取り付けられる場合がある。このような手摺において、丸棒形状のものは、握りやすいものの、握った際に滑りやすく、身体を十分に支えることができないことがある。
【０００３】
このため従来より、丸棒形状の手摺棒を有する手摺装置において、握った際の滑りを防止する手段が多数提案されている。例えば手摺棒を、小径部と大径部とが長さ方向に沿って交互に設けられたものにより構成して、手摺棒表面に凹凸部を形成したもの（実用新案登録第３００１６９８号、実開昭５９−１９２５３６号）や、手摺棒表面のほぼ全周にわたって多数の凸部を形成したもの（実開昭６４−２９４２３号）等が周知である。
【０００４】
このような手摺装置においては、手摺棒表面の凹凸部や凸部に指が掛かるので、握った際の滑りを防止することができる。
【０００５】
【発明が解決しようとする課題】
ところが、手摺は、上記したように身体支持補助用として使用する以外に、手摺棒の上面に軽く触れる程度に手を添えて、手摺棒に沿って手を滑らせながら歩行するという歩行ガイド用として使用する場合がある。このため、上記従来の手摺装置のように、手摺棒表面に凹凸部や凸部が形成されていると、凹凸部や凸部が邪魔になって、手摺棒上面に沿って円滑に手を滑らせることができず、歩行ガイド用として使用するには、不向きであるという問題を抱えている。
【０００６】
一方、従来において、手摺棒の外周の一部に、長さ方向に連続して凹凸部が形成された手摺装置が提案されている。例えば特開平８−１９９７５５号等に示すように、合成樹脂製手摺棒の外周面の一部に、凹凸のある樹脂被膜を積層一体化した手摺装置や、特開平８−１６５７７６号及び特開平９−３２２２９号等に示すように、外周面の一部に凹凸部が一体成形された樹脂被覆層をパイプ状心材の外周全域に積層した手摺装置が開示されている。
【０００７】
このような手摺装置において、仮に手摺棒の下面側に凹凸部を配置した場合には、握った際に凹凸部に指を掛けることができ、滑りを防止できるとともに、上面に沿って手を滑らせて歩行することもできるので、歩行ガイド用としても使用することができる。
【０００８】
しかしながら、一般に、手摺装置を施工する場合、建造物壁面等に固定したブラケットの上端部に、手摺棒の下面側を固定するものであるため、上記したように手摺棒の下面側に凹凸部が形成されていると、その凹凸部が存在することにより、ブラケットを手摺棒の任意の位置に固定することが困難になり、例えば現場で手摺棒にブラケットを取り付けるために凸部を平坦に削り取ったり、一旦手摺棒を切断し、その部分に接続具を用いて接続しつつブラケットを取り付ける等の手間のかかる特別な加工を施したり、特別な部品を使用したりする必要があり、現場での施工作業が困難になるという問題が発生する。
【０００９】
なお言うまでもなく、手摺棒の上面側に凹凸部を形成した場合には、その凹凸部に手が引っ掛かって滑らせることができず、歩行ガイド用として使用することができなくなってしまう。
【００１０】
また現場施工において、ブラケットに手摺棒を固定した後、手摺棒の下面側に、凹凸のある樹脂皮膜等を接着する施工方法も考えられるが、その方法では、樹脂皮膜を位置精度良く慎重に手摺棒に接着するという面倒な現場作業が必要となり、現場作業者に多大な負担が強いられるので、施工作業が困難であるという問題を解消することはできない。
【００１１】
この発明は、上記従来技術の問題を解消し、手摺棒を握った際の滑りを防止できて、身体支持補助用として支障なく使用できるとともに、手摺棒上面に沿って円滑に手を滑らせることができて、歩行ガイド用としても支障なく使用できる上、現場での施工作業を簡単かつ正確に行うことができる手摺装置を提供することを目的とする。
【００１２】
【課題を解決するための手段】
上記目的を達成するため、本第１の発明の手摺装置は、下側半周部の少なくとも一部に、長さ方向に連続して延びる凹溝が形成された丸棒形状の手摺棒と、前記手摺棒に長さ方向に沿って所定間隔おきに取り付けられ、前記手摺棒を建造物に支持するための複数のブラケットと、前記凹溝に沿って嵌着され、外面に凹部及び凸部が長さ方向に沿って交互に複数形成された細長形状の溝嵌めキャップとを備えるものを要旨としている。
【００１３】
本第１の発明の手摺装置においては、手摺棒の下部に長さ方向に沿って凹溝を形成するとともに、その凹溝に沿って、外面に滑り止め用凹凸部が形成された溝嵌めキャップを嵌着するものであるため、手摺棒の下部に、溝嵌めキャップの凹凸部が配置されるので、手摺棒を握った際に、指が凹凸部に納まり良く配置されて滑りを防止することができる。
【００１４】
更に手摺棒の上面は、平滑面に形成できるので、手摺棒の上面に沿って手を滑らせながら歩行することもできる。
【００１５】
またブラケットに手摺棒を固定した後、溝嵌めキャップを手摺棒の凹溝に嵌着して凹凸部を形成することができるので、ブラケットと手摺棒との取付時に凹凸部は存在せず、その凹凸部によってブラケット取付作業が妨げられることはない。
【００１６】
しかも、現場で手摺棒にブラケットを取り付けるために凸部を平坦に削り取ったり、一旦手摺棒を切断し、その部分に接続具を用いて接続しつつブラケットを取り付ける等の手間のかかる特別な加工を施したりする必要がなく、現場にあわせて手摺棒の任意の位置に容易にブラケットを取り付けることができる。
【００１７】
更に溝嵌めキャップは、凹溝に嵌着するだけで位置精度良く簡単に装着することができる。
【００１８】
また上記第１の発明においては、前記溝嵌めキャップが、前記凹溝内に係合した状態に嵌着されてなる構成を採用するのが良い。
【００１９】
すなわちこの構成を採用する場合、溝嵌めキャップの取付強度が増し、溝嵌めキャップの不本意な脱外等を有効に防止することができる。
【００２０】
更に上記第１の発明においては、前記凹溝内に沿って、溝形のレールフレームが固定されるとともに、そのレールフレームのレール溝内に前記溝嵌めキャップが嵌着されてなる構成を採用するのが望ましい。
【００２１】
すなわちこの構成を採用する場合には、手摺棒として十分な強度を確保することができる。
【００２２】
一方、上記目的を達成するため、本第２の発明は、下側半周部の少なくとも一部に、長さ方向に連続して延びる凹溝が形成された丸棒形状の手摺棒と、一端が建造物の側壁に固定される水平片と、その水平片の他端に上方へ延びるように設けられた垂直片とを有する複数のブラケットと、前記凹溝に嵌脱自在な溝形のレールフレームと、外面に凹部及び凸部が長さ方向に沿って交互に複数形成された細長形状の溝嵌めキャップとを備え、前記複数のブラケットが、前記側壁における前記手摺棒の配設位置に沿って所定間隔おきに取り付けられ、前記レールフレームが、そのレール溝内の所要位置に前記複数のブラケットの垂直片上端が差し込まれた状態で、各ブラケットに固定され、前記手摺棒が、その凹溝に沿って前記レールフレームが収納された状態で、前記レールフレームに固定され、前記溝嵌めキャップが、その外面における凹部及び凸部が外側に向けて配置されるように、前記レールフレームのレール溝に沿って嵌着されてなるものを要旨としている。
【００２３】
この第２の発明は、上記第１の発明の構成に加えて、手摺棒の凹溝内に収容されたレールフレームに、ブラケットを差し込んで固定するという構成を含むものであるため、レールフレームをブラケットに固定するビスや、手摺棒をレールフレームに固定するビス等の固着具が、手摺棒の凹溝内に収容されて外部から隠蔽され、施工完了後に、ビスの頭部等が外部に露呈することがなく、良好な外観美を得ることができる。
【００２４】
なお本発明において、丸棒形状という場合、中実構造のものはもちろん、パイプ等のように中空構造のものも含まれる。
【００２５】
【発明の実施の形態】
＜第１の実施形態＞
図１ないし図５はこの発明の第１の実施形態である手摺装置を示す図である。なお図１及び図２においては、発明の理解を容易にするため、手摺棒（１０）の支持スパン（ブラケット２０の取付間隔）が、実際のものよりも短く設定されている。
【００２６】
これらの図に示すように、この手摺装置は、建造物の廊下や階段等において、側壁（１）に沿って施工されるものであって、丸棒形状の手摺棒（１０）と、複数のブラケット（２０）と、溝形のレールフレーム（３０）と、細長形状の溝嵌めキャップ（４０）とを基本的な構成要素として備えている。
【００２７】
手摺棒（１０）は、その下端に、深さ寸法が幅寸法よりも大きい凹溝（１１）が長さ方向に連続して延びるように形成されている。
【００２８】
この手摺棒（１０）は、その材質が特に限定されるものではなく、例えば集成材、ムク材、単板積層材（ＬＶＬ）、木粉入りプラスチック等の木質材からなるもの、アクリロニトリル・ブタジエン・スチレン（ＡＢＳ）樹脂、オレフィン系樹脂等の合成樹脂からなるもの、ステンレス、アルミニウム等の金属からなるもの等を使用することができ、中でも特に木製の材料は触れた時の感触が良く、温かみが感じられるので、木製材料を使用するのが好ましく、特に材料調達等の観点から集成材が好適に使用できる。
【００２９】
また手摺棒（１０）は、その寸法等も特に限定されるものではないが、握り易さの面から、直径が２５〜５０ｍｍのものを使用するのが好ましく、より好ましくは３０〜４５ｍｍのものを使用するのが良い。
【００３０】
なお、手摺棒（１０）は、必ずしも中実構造である必要はなく、パイプのように中空構造であっても良い。
【００３１】
図６に示すように、レールフレーム（３０）は、高さ寸法が幅寸法よりも大きい縦長コ字形断面を有する溝形のものであって、上記手摺棒（１０）の凹溝（１１）内に収容し得る大きさに形成されている。
【００３２】
本発明において、レールフレーム（３０）は、その材質が特に限定されるものではないが、例えばアルミニウム、ステンレス、スチールや、合金等の金属からなるものの他、硬質合成樹脂等からなるものを使用でき、中でもアルミニウムの押出成形品からなるものは、好適に使用することができる。
【００３３】
このレールフレーム（３０）は、その一側壁（３２）の外面に、皿状断面のビス頭部収容溝（３３）が長さ方向に連続して延びるように形成されている。更にレールフレーム（３０）の両側壁（３２）（３２）の内面における先端側には、キャップ係合段部（３４）（３４）が形成されるとともに、両側壁（３２）（３２）の外面には、上記手摺棒（１０）の凹溝（１１）内面に係止し得る係合突起（３５）が複数設けられている。
【００３４】
図１ないし図３に示すように、ブラケット（２０）は、ブラケット本体（２１）と、取付座（２５）と、取付座カバー（２６）とを備えており、これらのブラケット構成部品は、例えばステンレス、スチール、アルミニウム、合金等の金属により構成されている。
【００３５】
ブラケット本体（２１）は、水平方向に延びる水平片（２２）と、水平片（２２）の端部に、その端部から上方へ延びるように連設された垂直片（２３）とを備えるＬ字形の形状を有している。
【００３６】
水平片（２２）における先端部の外周には、雄ねじが刻設されて、雄ねじ部（２２ａ）が形成されるとともに、雄ねじ部（２２ａ）の先端面には、水平片（２２）の軸心に沿ってねじ切り孔（２２ｂ）が形成されている。
【００３７】
垂直片（２３）の上端部は、上記レールフレーム（３０）のレール溝（３６）に収容し得るように細幅に形成されて、差込部（２３ａ）が形成されるとともに、その差込部（２３ａ）には、厚さ方向に貫通するねじ切り孔（２３ｂ）が形成されている。
【００３８】
また取付座（２５）は、その中央に、上記ブラケット本体（２１）の雄ねじ部（２２ａ）を螺合し得るねじ切り孔（２５ａ）が形成されるとともに、外周縁部には、周方向に沿って所定の間隔おきに、外方に突出する係合突起（２５ｂ）が形成されている。
【００３９】
取付座カバー（２６）は、その中央に、ブラケット本体挿通孔（２６ａ）が形成されている。
【００４０】
図７に示すように、溝嵌めキャップ（４０）は、上記レールフレーム（３０）のレール溝（３６）に対応する細長形状を有しており、レール溝（３６）に嵌着される嵌着部（４１）と、その嵌着部（４１）に一体に形成され、レール溝（３６）の開放部を覆うように配置されるカバー部（４５）とを備えている。
【００４１】
嵌着部（４１）は、断面矢符形状に形成されており、その嵌着部（４１）の両側には上記レールフレーム（３０）のキャップ係合段部（３４）（３４）に係合し得る弾性係合片（４４）（４４）が形成されている。
【００４２】
カバー部（４５）は、その外面に凹部（４６）と凸部（４７）とが、長さ方向に沿って交互に連続して形成されている。なお凹凸部（４６）（４７）のピッチや、深さ（高さ）は、後述するように、手摺棒（１０）を手で握った際に、指が無理なく自然に治まる程度に設定すれば良く、特に限定されるものではない。
【００４３】
本発明において、溝嵌めキャップ（４０）は、その材質が特に限定されるものではなく、例えばオレフィン系樹脂、ＡＢＳ樹脂、ポリウレタン系樹脂、ポリ塩化ビニル樹脂等の熱可塑性樹脂からなるもの、圧縮木材や木粉プラスチック等の木質材料からなるもの、加硫ゴムやウレタンエラストマーからなるもの、エポキシ樹脂、フェノール樹脂等の熱硬化性樹脂からなるもの等を使用することができ、中でも特に弾性を有するオレフィン系樹脂からなるものを好適に使用することができる。
【００４４】
また、溝嵌めキャップ（４０）としては、ＪＩＳ  Ｋ６３０１（加硫ゴム物理試験）によるスプリング式硬さ試験において、４０〜８０度の硬さを有する弾性材料により構成するのが好ましく、更には下限値が５０度以上の硬さを有するもの、上限値が７０度以下の硬さを有するものは、より一層好適に使用することができる。すなわちこの規定値の材料を使用した場合には、手摺棒（１０）を手で握った際に、溝嵌めキャップ（４０）の肌触りが良く、良好な感触を得ることができる。
【００４５】
なお、本実施形態では、図７（ｃ）に示すように、カバー部（４５）の凹部（４６）が、側面視において、円弧状に形成されているが、本発明においては、凹部（４６）や凸部（４７）の形状は特に限定されるものではなく、例えば図８に示すように、凹凸部（４６）（４７）が扁平Ｖ字形に形成されたものの他、凸部が半円形に形成されたものでも、好適に使用することができる。
【００４６】
本実施形態の手摺装置は、以上の構成要素を備えており、これらの構成要素を用いて、以下に説明するように、建造物側壁（１）に施工される。
【００４７】
まず図１及び図３に示すように、例えばビス等で固定できないコンクリートやタイル等の側壁（１）においては、ブラケット固定位置に、アンカーボルト（２）をそれぞれ打ち込む。
【００４８】
次にブラケット（２０）を、その水平片（２２）の雄ねじ部（２２ａ）に、取付座カバー（２６）を外嵌するとともに、取付座（２５）をねじ切り孔（２５ａ）において螺着した状態で、アンカーボルト（２）をブラケット水平片（２２）のねじ切り孔（２２ｂ）内に螺合させることにより、ブラケット（２０）をアンカーボルト（２）に固定し、取付座（２５）を回転させて側壁（１）に固定する。
【００４９】
なお、側壁（１）が、木質板や石こうボード等により構成される場合には、必要により補強桟等を取り付けておき、アンカーボルトを用いずに、取付座（２５）をそのビス孔（２５ｃ）を利用してビス等により固定するのが通例である。
【００５０】
次に必要に応じて、ブラケット本体（２１）を取付座（２５）に対し回転させて、ブラケット本体（２１）の垂直片（２３）の壁面からの距離を調整し、各ブラケット（２０）の位置合わせを行う。
【００５１】
続いて、取付座カバー（２６）を取付座（２５）の外周に嵌め込んで、取付座（２５）を被覆する。このとき、取付座（２５）の外周縁部に設けられた係合突起（２５ｂ）が、カバー（２６）の内周面に設けられた周溝（図示省略）に係合することにより、カバー（２６）が取付座（２５）に所定の強度で取り付けられる。
【００５２】
次に、レールフレーム（３０）を、そのレール溝（３６）内にブラケット垂直片（２３）における上端の差込部（２３）を挿入するようにして、ブラケット（２０）に仮置きする。
【００５３】
続いて、レールフレーム（３０）のビス頭収容溝（３３）におけるブラケット（２０）の差込部（２３）に対応する位置に、ドリル等を用いて道孔を穿設し、その道孔にビス（５）を挿通して、ブラケット（２０）の差込部（２３ａ）におけるねじ切り孔（２３ｂ）に螺着し、これによりレールフレーム（３０）をブラケット（２０）に固定する。
【００５４】
次に、手摺棒（１０）を、その凹溝（１１）内にレールフレーム（３０）を収容するようにして、レールフレーム（３０）に外嵌して仮支持する。このとき、レールフレーム（３０）の外周面に形成された係合突起（３５）が、手摺棒（１０）の凹溝内周面に食い込むように係止して、不用意な位置ずれや脱外を有効に防止することができる。
【００５５】
続いて図４に示すように、レールフレーム（３０）の底壁（天井壁）に、ドリル等を用いて道孔を穿設し、その道孔にビス（６）を挿通して、手摺棒（１０）における凹溝底部にねじ込み、これにより手摺棒（１０）を、レールフレーム（３０）に固定する。
【００５６】
次に図２及び図４に示すように、溝嵌めキャップ（４０）を、その嵌着部（４１）を、ブラケット（２０）間におけるレールフレーム（３０）のレール溝（３６）内に嵌め込んで、キャップ（４０）の弾性係合片（４４）を、レールフレーム（３０）のキャップ係合段部（３４）に係合させる。これによりレール溝（３６）の開口部をキャップ（４０）のカバー部（４５）により閉塞するとともに、レール溝（３６）の開口部に沿って、つまり手摺棒（１０）の下端外面に沿って、溝嵌めキャップ（４０）の凹凸部（４６）（４７）を配置する。
【００５７】
なお本発明においては、手摺棒（１０）とレールフレーム（３０）とを固定する際、ビス等の保持力を向上させるために、接着剤や両面テープを併用しても良い。更に溝嵌めキャップ（４０）を嵌着する際、その取付強度を高めるために、接着剤等を併用しても良い。
【００５８】
こうして本実施形態の手摺装置の施工が完了する。
【００５９】
この手摺装置によれば、手摺棒（１０）の下端に、長さ方向に沿って凹凸部（４６）（４７）が配置されるので、手摺棒（１０）を握った際に、指が凹部（４６）内に治まり良く配置される。このため、指が凹凸部（４６）（４７）に無理なく掛止して、滑りが防止されて、強く握ることができるので、手摺棒（１０）に十分に荷重を加えることができ、歩行者の身体を十分に支えることができる。従って歩行時の身体支持補助用として、支障なく使用することができる。
【００６０】
更に手摺棒（１０）の下端を除く外周面には、凹凸部が形成されず、平滑面に形成されるので、手摺棒（１０）の上面に軽く触れる程度に手を添えて、手摺棒（１０）に沿って円滑に手を滑らせながら歩行することができる。従って歩行時のガイド用としても、支障なく使用することができる。
【００６１】
またレールフレーム（３０）をブラケット（２０）に固定してから、フレーム（３０）のレール溝（３６）内に溝嵌めキャップ（４０）を嵌着しているため、レールフレーム（３０）のいずれの位置にもブラケット（２０）を固定することができ、ブラケット取付位置等の制約がなく自由度が増して、効率良く施工することができる。しかも手摺棒（１０）にブラケットを取り付けるために、凸部を削り取る等の加工を施したり、一旦手摺棒を切断し、その部分に接続具を用いて接続しつつ、ブラケットを取り付ける等の手間がかかる作業が必要ないので、良好な作業性を維持することができて、施工作業を簡単に行うことができる。
【００６２】
更に溝嵌めキャップ（４０）は、レール溝（３６）に嵌着するだけで、位置精度良く簡単に取り付けることができるので、施工作業をより一層簡単かつ正確にに行うことができる。
【００６３】
またレールフレーム（３０）をブラケット（２０）に固定するビス（５）や、手摺棒（１０）をレールフレーム（３０）に固定するビス（６）は、手摺棒（１０）の凹溝（１１）内に収容されて、手摺棒（１０）により被覆されるので、施工完了後に、ビス（５）（６）の頭部等が外部に露呈することがなく、良好な外観美を得ることができる。
【００６４】
更に手摺棒（１０）の内部に、長さ方向に沿って、アルミニウム等の金属製のレールフレーム（３０）が配置されるので、手摺装置として、優れた強度を得ることができる。
【００６５】
なお、上記実施形態においては、レールフレーム（３０）として、その一方の側壁（３２）にビス頭部収容溝（３３）が形成されたものを用いているが、それ以外に例えば、図９（ａ）に示すように、両側壁（３２）（３２）に、共にビス頭部収容溝（３３）（３３）が形成されたものを用いても良い。この場合には、レールフレーム（３０）が左右対称形状に形成されるので、左右を間違えて施工するというような人為的なミスをなくすことができ、施工作業をより一層スムーズに行うことができる。
【００６６】
また図９（ｂ）に示すように、両側壁（３２）（３２）に設けられるキャップ係合段部（３４）（３４）を多数形成して、各係合段部（３４）に係合し得るような溝嵌めキャップ（４０）を使用することにより、キャップ（４０）のレールフレーム（３０）への取付強度を一段と向上させることができ、キャップ（４０）の不用意な脱外を防止することができる。
【００６７】
＜第２の実施形態＞
図１０ないし図１２はこの発明の第２の実施形態である手摺装置を示す図である。これらの図に示すように、手摺棒（６０）と、ブラケット（７０）と、レールフレーム（８０）と、溝嵌めキャップ（９０）とにより構成されている。
【００６８】
手摺棒（６０）は、下端に長さ方向に連続する凹溝（６１）が形成されるとともに、レールフレーム（８０）は、両側壁（８２）（８２）の内側に長さ方向に連続する凸条部（８４）（８４）が形成されている。
【００６９】
また、ブラケット（７０）は、その垂直片（７３）の上端に、レールフレーム（８０）のレール溝（８６）内に収容し得る第１の連結金具（７３ａ）が設けられている。
【００７０】
このブラケット（７０）の水平片（７２）の先端が、上記と同様な手段により、建造物側壁（１）に固定される一方、レールフレーム（８０）のレール溝（８６）内における凸条部（８４）（８４）よりも奥部に第２の連結金具（７３ｂ）が収容された状態で、ビス（５５）が第１の連結金具（７３ａ）を貫通して第２の連結金具（７３ｂ）に螺着されることにより、第１及び第２の連結金具（７３ａ）（７３ｂ）によりレールフレーム（８０）の凸条部（８４）（８４）が挟持されて、レールフレーム（８０）がブラケット（７０）に固定されている。
【００７１】
更に手摺棒（６０）が、その凹溝（６１）内にレールフレーム（８０）が収容されるようにして、レールフレーム（８０）に外嵌されるとともに、レールフレーム（８０）の底壁（天井壁）に、ビス（５６）が貫通されて手摺棒（６０）に螺着されることにより、手摺棒（６０）がレールフレーム（８０）に固定される。
【００７２】
なおレールフレーム（８０）の外周面には、長さ方向に連続して、複数の係合突起（８５）が形成されており、この係合突起（８５）が手摺棒（６０）の凹溝（６１）内面に係止している。
【００７３】
一方、溝嵌めキャップ（９０）は、レール溝（８６）に嵌着される嵌着部（９１）の上端に膨大部（９３）が設けられ、この膨大部（９３）が、レールフレーム（８０）のレール溝（８６）内における凸条部（８４）（８４）間に強制的に挿通されて、凸条部（８４）（８４）に係合されることにより、溝嵌めキャップ（９０）がレール溝（８６）に取り付けられる。
【００７４】
なお、溝嵌めキャップ（９０）の外面には、凹部（４６）と凸部（４７）が、長さ方向に沿って交互に連続して形成されている。
【００７５】
その他の構成は、上記第１の実施形態と同様であるため、同一又は相当部分に同一又は相当符号を付して、重複説明を省略する。
【００７６】
この手摺装置の組付手順は、上記と同様で、側壁（１）に固定したブラケット（７０）に、レールフレーム（８０）を固定して、そのフレーム（８０）に手摺棒（６０）を固定した後、溝嵌めキャップ（９０）を装着するものである。
【００７７】
この実施形態の手摺装置においても、上記と同様、手摺棒（６０）の下端に、溝嵌めキャップ（９０）の凹凸部（４６）（４７）が配置されるので、手摺棒（６０）を握った際に凹部（４６）に指が入り、力を入れた時にしっかり握ることができ、滑りを防止することができる。更に溝嵌めキャップ（９０）が、レールフレーム（８０）のレール溝（８６）を覆っているため、指詰めも防止することができる。
【００７８】
またブラケット（７０）に手摺棒（６０）を取り付けるために、格別な加工を施したり、特別な部品を使用したりする必要がないので、施工作業を簡単に行うことができる。
【００７９】
更に手摺棒（６０）の上面は、平滑面であるため、その上面に手を触れて滑らせて、歩行ガイド用として支障なく使用することができる。
【００８０】
＜第３の実施形態＞
図１３はこの発明の第３の実施形態である手摺装置を示す断面図である。同図に示すように、この実施形態の手摺装置は、上記第１及び第２の実施形態のようにブラケットが手摺棒に差し込まれるものと違って、ブラケット（１２０）上に、手摺棒（１１０）が載置されるタイプのものである。
【００８１】
すなわち手摺棒（１１０）の下端には、長さ方向に沿って連続するように、比較的浅い凹溝（１１１）が形成されている。
【００８２】
またブラケット（１２０）は、その垂直片（１２３）の上端部に、手摺棒（１１０）の下部外周面形状に対応する円弧形断面の手摺棒載置部（１２３ａ）が設けられている。
【００８３】
そしてこのブラケット（１２０）を、建造物側壁の所定位置に固定するとともに、ブラケット（１２０）の手摺棒載置部（１２３ａ）上に手摺棒（１１０）を載置して、その状態で、ビス（１０６）を、下面側から手摺棒載置部（１２３ａ）に貫通させて、手摺棒（１１０）に螺着する。なお、手摺棒（１１０）をブラケット（１２０）に固定する場合、一つのブラケット（１２０）に対し２本のビスを用いても良く、３本以上のビスを用いても良い。
【００８４】
なお、手摺棒（１１０）を、ブラケット（１２０）に固定する場合、凹溝（１１１）内のビス止め位置に対応させて、木質材等の板状片を適合状態に嵌め込むようにしても良い。
【００８５】
こうして、手摺棒（１１０）をブラケット（１２０）に固定した後、手摺棒（１１０）の凹溝（１１１）におけるブラケット（１２０）が配置されていない部分に、溝嵌めキャップ（１４０）を嵌着する。なお、キャップ（１４０）の凹溝（１１１）に対する固定手段としては、例えば凹溝（１１１）を、その開口部の幅が底部の幅よりも狭い蟻溝形の断面に形成するとともに、その形状に対応させて溝嵌めキャップ（１４０）も蟻溝形の断面に形成する等の固定手段を好適に採用することができ、この手段を採用することにより、溝嵌めキャップ（１４０）の不本意な脱外等を有効に防止することができる。
【００８６】
また言うまでもなく、溝嵌めキャップ（１４０）の外面には、握った際の滑り止め用として凹部（４６）及び凸部（４７）が長さ方向に沿って交互に複数形成されている。
【００８７】
その他の構成は、上記第１及び第２の実施形態と同様であるため、同一又は相当部分に同一又は相当符号を付して、重複説明を省略する。
【００８８】
本実施形態の手摺装置においても、上記と同様で、手摺棒（１１０）の下端に、長さ方向に沿って凹凸部（４６）（４７）が配置されるので、手摺棒（１１０）を握った際の滑り止めを図ることができ、身体支持補助用として、支障なく使用することができるとともに、手摺棒（１１０）の上面に沿って円滑に手を滑らせながら歩行することができるので、歩行ガイド用としても、支障なく使用することができる。
【００８９】
また手摺棒（１１０）をブラケット（１２０）に固定してから、凹溝（１１１）に溝嵌めキャップ（１４０）を嵌着するものであるため、手摺棒（１１０）のいずれの位置にもブラケット（１２０）を固定することができ、効率良く施工することができるとともに、格別な加工を施したりする必要もないので、施工作業を簡単に行うことができる。
【００９０】
更に溝嵌めキャップ（１４０）は、凹溝（１１１）に嵌着するだけで位置精度良く簡単に取り付けることができるので、施工作業をより一層簡単かつ正確に行うことができる。
【００９１】
また手摺棒（１１０）に形成される凹溝（１１１）が浅いため、レールフレームのような補強フレーム部材等を使用せずとも、手摺棒（１１０）に十分な強度を確保することができる。
【００９２】
ところで、本発明においては、図１４（ａ）に示すように、凹溝（１１１）内に嵌着される溝嵌めキャップ（１４０）の凹凸部（４６）（４７）のうち凹部（４６）は、手摺棒（１１０）における凹溝（１１１）の開口面と一致させるのが好ましい。すなわち図１６（ａ）に示すように、溝嵌めキャップ（１４０）の凹部（４６）が凹溝（１１１）の開口面よりも外方（下方）に突出している場合には、手摺棒（１１０）を手で握った際に、溝嵌めキャップ（１４０）の両側縁コーナー部（１４０ａ）（１４０ａ）が指に食い込んで、良好な手触り感を得ることができず、また図１６（ｂ）に示すように、溝嵌めキャップ（１４０）の凹部（４６）が凹溝（１１１）の開口面よりも内方（上方）に凹んでいる場合には、凹溝（１１１）の開口縁部（１１１ａ）（１１１ａ）が指に食い込んで、良好な手触り感を得ることができなくなる恐れがある。従って図１４（ａ）に示すように、溝嵌めキャップ（１４０）の凹部（４６）は、凹溝（１１１）の開口面と一致させるのが好ましい。また、図１４（ｂ）に示すように、溝嵌めキャップ（１４０）の凹部（４６）が凹溝（１１１）の開口面よりも外方に突出している場合であっても、溝嵌めキャップ（１４０）の両側縁コーナー部に面取り部（１４０ｂ）（１４０ｂ）を形成しておくことにより、良好な手触り感を確保することができる。なお言うまでもなく、図１４に関する事項は、上記第１及び第２の実施形態を含めて、本発明の手摺装置すべてに言えるものである。
【００９３】
また上記実施形態においては、ブラケットがＬ字形のものを使用しているが、それだけに限られず、本発明においては、通直形（直線形）のブラケットも使用することができる。この場合、ブラケットの一端側に手摺棒の下部又は側部外周面形状に対応する円弧形断面の手摺棒載置部が設けられて、他端側が建造物の側壁や笠木上面に固定される。
【００９４】
また上記実施形態においては、手摺棒の下端に溝嵌めキャップを設ける場合について説明したが、本発明はそれだけに限られず、手摺棒（１０）（６０）（１１０）の下端からやや側方にずれた位置に、溝嵌めキャップを設けるように構成しても良い。
【００９５】
更に溝嵌めキャップは、１箇に限られず、図１５に示すように、溝嵌めキャップ（１４０）を２箇設けるように構成しても、あるいは３箇以上設けるように構成しても良い。
【００９６】
要は、溝嵌めキャップ（凹溝）が、手摺棒の下側半周部の領域のいずれかの位置に、少なくとも１つ以上設けられていれば良い。
【００９７】
【発明の効果】
以上のように、本第１の発明の手摺装置によれば、手摺棒の下部に長さ方向に沿って凹溝を形成するとともに、その凹溝に沿って、外面に滑り止め用凹凸部が形成された溝嵌めキャップを嵌着するものであるため、手摺棒の下部に、溝嵌めキャップの凹凸部が配置されるので、手摺棒を握った際に、指が凹凸部に治まり良く配置されて滑りを防止することができる。このため手摺棒に十分に荷重を加えて、歩行者の身体を確実に支えることができ、歩行時の身体支持補助用として、支障なく使用することができる。更に手摺棒の上面は、平滑面に形成できるので、手摺棒の上面に沿って手を滑らせながら歩行することができ、歩行時のガイド用としても、支障なく使用することができる。また、手摺棒のいずれの位置にもブラケットを固定することができ、効率良く施工することができるとともに、施工作業を簡単に行うことができる。更に溝嵌めキャップは、凹溝に嵌着するだけで位置精度良く簡単に装着することができるので、施工作業を、より一層簡単かつ正確に行うことができるという利点がある。
【００９８】
また、第１の発明において、溝嵌めキャップを、凹溝内に係合した状態に嵌着する場合には、溝嵌めキャップの取付強度が増し、溝嵌めキャップの不本意な脱外等を有効に防止することができるという利点がある。
【００９９】
更に第１の発明において、手摺棒の凹溝内にレールフレームを装着する場合には、手摺棒として十分な強度を確保することができるという利点がある。
【０１００】
一方、本第２の発明は、上記第１の発明の構成に加えて、手摺棒の凹溝内に収容されたレールフレームに、ブラケットを差し込んで固定するという構成を含むものであるため、上記の効果に加えて更に、レールフレームをブラケットに固定するビスや、手摺棒をレールフレームに固定するビス等の固着具が、手摺棒の凹溝内に収容されて外部から隠蔽されるので、施工完了後に、ビスの頭部等が外部に露呈することがなく、良好な外観美を得ることができる効果がある。
【図面の簡単な説明】
【図１】この発明の第１の実施形態である手摺装置を分解して示す斜視図である。
【図２】第１実施形態の手摺装置を溝嵌めキャップを分離した状態で示す斜視図である。
【図３】第１実施形態の手摺装置においてブラケット固定部の正面断面図である。
【図４】第１実施形態の手摺装置においてレールフレーム固定部の正面断面図である。
【図５】第１実施形態の手摺装置を示す側面断面図である。
【図６】第１実施形態の手摺装置に適用されたレールフレームを示す図であって、同図（ａ）は正面断面図、同図（ｂ）は側面図である。
【図７】第１実施形態の手摺装置に適用された溝嵌めキャップを示す図であって、同図（ａ）は正面断面図、同図（ｂ）は側面図、同図（ｃ）は底面（外面）図である。
【図８】本発明の手摺装置における溝嵌めキャップの一変形例を示す図であって、同図（ａ）は側面図、同図（ｂ）は底面図である。
【図９】本発明の手摺装置におけるレールフレームの変形例を示す正面図であって、同図（ａ）は一変形例を示す正面断面図、同図（ｂ）は他の変形例を示す正面断面図である。
【図１０】この発明の第２実施形態である手摺装置においてブラケット固定部の正面断面図である。
【図１１】第２実施形態の手摺装置においてレールフレーム固定部の正面断面図である。
【図１２】第２実施形態の手摺装置を示す側面断面図である。
【図１３】本発明の第２の実施形態である手摺装置を示す図であって、同図（ａ）はブラケット固定部の正面断面図、同図（ｂ）は溝嵌めキャップ嵌着部の正面断面図である。
【図１４】本発明の手摺装置における手摺棒の溝嵌めキャップ嵌着部周辺を示す正面断面図である。
【図１５】本発明の手摺装置における他の変形例を示す正面断面図である。
【図１６】図１４に対比する参考図である。
【符号の説明】
１…側壁
１０、６０、１１０、２１０…手摺棒
１１、６１、１１１、２１１…凹溝
２０、７０、１２０、２２０…ブラケット
２２、７２…水平片
２３、７３、１２３…垂直片
３０、８０…レールフレーム
３６、８６…レール溝
４０、９０、１４０、２４０…溝嵌めキャップ
４６…凹部
４７…凸部
【図１】
0004056640.tif 000002
【図２】
0004056640.tif 000003
【図３】
0004056640.tif 000004
【図４】
0004056640.tif 000005
【図５】
0004056640.tif 000006
【図６】
0004056640.tif 000007
【図７】
0004056640.tif 000008
【図８】
0004056640.tif 000009
【図９】
0004056640.tif 000010
【図１０】
0004056640.tif 000011
【図１１】
0004056640.tif 000012
【図１２】
0004056640.tif 000013
【図１３】
0004056640.tif 000014
【図１４】
0004056640.tif 000015
【図１５】
0004056640.tif 000016
【図１６】
0004056640.tif 000017